(57)【要約】【課題】本発明は、室内外のいずれでも使い勝手がよく、意匠性にも優れたプランタ台１を提供する。【解決手段】プランタ台１は、内部に植木鉢等を収めるプランタ本体２と、プランタ台１の移動を可能にするキャスタ３を備える。また、プランタ本体２は、植木鉢等が載置される板状の底板２０と、底板２０の外周に沿って取り付けられた側壁板２１を有する。プランタ本体２は、側壁板２１で囲まれた空間を底板２０が上下に仕切る構造となっている。【選択図】図１
2015070814.tif 000002
【特許請求の範囲】
【請求項１】
略平板状の底板部材と、該底板部材の周縁を略囲繞して設けられた側壁部材とを有するプランタ本体と、
前記側壁部材の少なくとも一部である第一の端部を軸に滑動可能に接合、同第一の端部を軸に回動可能に接合、または同第一の端部と着脱可能に接合された目隠し部材と、
前記プランタ本体の前記底板部材よりも前記目隠し部材が接合された側に取り付けられ、かつ、前記側壁部材で囲繞された空間に配置されたキャスタとを備える
プランタ台。
【請求項２】
前記底板部材は貫通孔が設けられた
請求項１に記載のプランタ台。
【請求項３】
前記目隠し部材は前記側壁部材と接合した前記第一の端部を軸に回動可能かつ任意の位置で固定可能に設けられた
請求項１または請求項２に記載のプランタ台。
【請求項４】
前記側壁部材の前記第一の端部近傍に設けられた第一の固定具と、
前記目隠し部材の前記第一の固定具と対応する位置に設けられると共に、前記目隠し部材を前記第一の端部を軸に略１８０度回動させ、かつ同第一の固定具に近接した位置で同第一の固定具と固定可能な第二の固定具とを備える
請求項１または請求項２に記載のプランタ台。
【請求項５】
前記底板部材よりも前記目隠し部材が接合された側かつ前記側壁部材で略囲繞された空間に同側板部材と接して配置された本体を有すると共に、貫通した排水孔が設けられた第二の底板部材を備える
請求項１、請求項２、請求項３または請求項４に記載のプランタ台。
【請求項６】
前記側壁部材の少なくとも一部である第二の端部を軸に滑動可能に接合、同第二の端部を軸に回動可能に接合、または同第二の端部と着脱可能に接合された羽目板部材を備える
請求項１、請求項２、請求項３、請求項４または請求項５に記載のプランタ台。
【発明の詳細な説明】
【技術分野】
【０００１】
本発明はプランタ台に関する。詳しくは、室内外のいずれでも使い勝手がよく、意匠性にも優れた、植木鉢等を載置するプランタ台に関するものである。
【背景技術】
【０００２】
昨今のガーデニングブームにより、自宅のベランダや職場のエントランス付近に観賞用植物を配置し、楽しむ人たちが多くなっている。この際、植木鉢を載置するために用いられるのがプランタ台である。
【０００３】
プランタ台を用いることで、植木鉢を床面に直接置くことを回避することができる。また、プランタ台の形状を利用して、立体的に植物を配置して、鑑賞しやすいものにすることが可能となる。
【０００４】
このようなプランタ台の従来の形状としては、植木鉢よりも一回り大きなサイズで、受け皿状の形状を有するものが多く見られる。
【０００５】
また、別のプランタ台の形状としては、例えば、図５に示すように、金属製の棒などを格子状に組み合わせて棚部を形成し、棚部を支えるようにキャスタが４個設けられているものがある。プランタ台は、この棚部に植木鉢を載置して使用される。
【０００６】
さらに、プランタ台の中には、初心者でもより手軽に植物栽培が行える、容器と台が一体化したプランタ台が存在し、例えば、特許文献１に記載のプランタ台が提案されている。
【０００７】
ここで、図６で示す特許文献１に記載されたプランタ台の構造は、次のとおりである。即ち、プランタ台１００は栽培床１０２及び保持台１０１から構成される。また、栽培床１０２内部の土などに吸収されなかった余剰の水は、排水口１０４から排水され、保持台１０１の中央最下底部１０３で受け止められる。
【先行技術文献】
【特許文献】
【０００８】
【特許文献１】特開２０１２−１７９０３８号公報
【発明の概要】
【発明が解決しようとする課題】
【０００９】
しかしながら、特許文献１に記載されたプランタ台は、水やりの際の余剰の水が一旦中央最下底部１０３に溜められることとなるが、中央最下底部１０３に排水機能を備えていない。そのため、収まりきれなかった水は、保持台１０１と栽培床１０２とが嵌め合わされた隙間から溢れだし、周囲を汚してしまう問題があった。
【００１０】
このように、植物にかけた水が充分に収まりきれない構造のプランタ台は、室内での植物栽培に適していないものと言える。また、初心者にとっては、植物にかける適切な水の量の判断が難しく、水をやりすぎた結果、プランタ台の周囲を汚してしまうことが起こりやすいと考えられる。
【００１１】
また、その他の従来のプランタ台でも、受け皿状のプランタ台の場合、プランタ台に植木鉢を載置し水やりをすると、植木鉢から溢れた水が皿の内側に溜り、根腐れの原因となっていた。また、水が多い場合には、さらにプランタ台から水が溢れ出て、周囲を汚してしまい、清潔感に欠けていた。
【００１２】
また、図５に示すようなプランタ台の場合、格子状の棚を有するため、やはり植木鉢からこぼれ出た水がプランタ台の周囲を汚してしまい、清潔感に欠けるものとなっていた。
【００１３】
また、格子の隙間部分が植木鉢の直径に比べて広い場合には、植木鉢の底が隙間部分に入り込み、植木鉢が傾きやすいものとなっていた。結果として、植物がまっすぐに育たなかったり、植木鉢内の土がこぼれたりする原因となっていた。
【００１４】
本発明は、以上の点に鑑みて発明されたものであり、室内外のいずれでも使い勝手がよく、意匠性にも優れたプランタ台を提供することを目的とする。
【課題を解決するための手段】
【００１５】
上記の目的を達成するために、本発明のプランタ台は、略平板状の底板部材と、該底板部材の周縁を略囲繞して設けられた側壁部材とを有するプランタ本体と、前記側壁部材の少なくとも一部である第一の端部を軸に滑動可能に接合、同第一の端部を軸に回動可能に接合、または同第一の端部と着脱可能に接合された目隠し部材と、前記プランタ本体の前記底板部材よりも前記目隠し部材が接合された側に取り付けられ、かつ、前記側壁部材で囲繞された空間に配置されたキャスタとを備える。
【００１６】
ここで、プランタ台の略平板状の底板部材によって、安定して物を載置することが可能となる。即ち、底板部材の平らな部分で植木鉢等の底面を支え、安定した状態を保ちやすくすることができる。なお、ここでいう略平板状とは、完全な平面を指すものではなく、多少の凹凸を有する形状を含むものとする。
【００１７】
また、プランタ本体の略平板状の底板部材と、底板部材の周縁を略囲繞して設けられた側壁部材によって、底板部材に載置した物が側壁部材に囲まれることとなり、載置物を転がり落ちにくくすることができる。
【００１８】
また、プランタ本体の略平板状の底板部材と、底板部材の周縁を略囲繞して設けられた側壁部材によって、底板部材に載置した物が側壁部材に囲まれることとなり、底板部材の上に直接土を敷き詰めて使用することができる。即ち、鉢を載置するだけでなく、土に直接植物を植えることが可能となり、育成の自由度が向上し、美観も高めることができる。
【００１９】
また、プランタ本体に設けられたキャスタによって、プランタ台は前後左右に移動させることができる。なお、キャスタは単に移動自在なキャスタだけでなく、移動が制御可能なキャスタも含むものとする。
【００２０】
また、側壁部材の少なくとも一部である第一の端部を軸に滑動可能に接合、同第一の端部を軸に回動可能に接合、または同第一の端部と着脱可能に接合された目隠し部材と、プランタ本体の底板部材よりも目隠し部材が接合された側に取り付けられ、かつ、側壁部材で囲繞された空間に配置されたキャスタによって、プランタ台の使用時にキャスタが周囲の人の目に触れにくくなる。即ち、植物とプランタ台との外観上の一体性が生じ、意匠性を向上させることができる。
【００２１】
また、側壁部材の少なくとも一部である第一の端部を軸に滑動可能に接合、同第一の端部を軸に回動可能に接合、または同第一の端部と着脱可能に接合された目隠し部材と、プランタ本体の底板部材よりも目隠し部材が接合された側に取り付けられ、かつ、側壁部材で囲繞された空間に配置されたキャスタによって、キャスタの移動または制御の切替を容易にすることができる。即ち、目隠し部材の近傍に、移動を制御可能なキャスタを配置し、目隠し部材を回動または着脱することで、キャスタの固定状態の切替作業が行いやすくなる。
【００２２】
また、底板部材に貫通孔が設けられた場合には、貫通孔を介して底板部材から水を排出することができる。即ち、プランタ本体内部に水が溜まりにくく、植物の根腐れや、腐敗した水の異臭を発生しにくくなる。
【００２３】
また、目隠し部材が側壁部材と接合した第一の端部を軸に回動可能かつ任意の位置で固定可能に設けられた場合には、プランタ台の移動をより容易にすることができる。例えば、傾斜面上でプランタ台を移動させる際に、プランタ台の目隠し部材が設けられた側を傾斜面の高い方に向けることで、傾斜面に目隠し部材があたりにくくすることができる。
【００２４】
また、側壁部材の第一の端部近傍に設けられた第一の固定具と、目隠し部材の第一の固定具と対応する位置に設けられると共に、目隠し部材を第一の端部を軸に略１８０度回動させ、かつ第一の固定具に近接した位置で第一の固定具と固定可能な第二の固定具とを備える場合には、目隠し部材の第二の固定具が側壁部材の第一の固定具に近づいた状態、即ち、目隠し部材が最も回動した状態で固定することが可能となる。このことにより、プランタ台の移動をより容易にすることができる。
【００２５】
また、プランタ本体の底板部材よりも目隠し部材が接合された側かつ側壁部材で略囲繞された空間に側板部材と接して配置された本体を有すると共に、貫通した排水孔が設けられた第二の底板部材とを備える場合には、底板部材から流れてきた水を第二の底板部材で受け止めることが可能となる。即ち、地面での水はねが起こりにくくなり、周囲やプランタ台本体を汚れにくくすることができる。
【００２６】
また、側壁部材の少なくとも一部である第二の端部を軸に滑動可能に接合、第二の端部を軸に回動可能に接合、または第二の端部と着脱可能に接合された羽目板部材を備える場合には、プランタ台の使用者はプランタ台の底板部材に容易に手が届きやすくなる。例えば、羽目板部材を取り外すことで、プランタ台の使用者は植木鉢の入れ替えなどが容易になり、作業負担を減らすことができる。
【発明の効果】
【００２７】
本発明に係るプランタ台は、室内外のいずれでも使い勝手がよく、意匠性にも優れたものとなっている。
【図面の簡単な説明】
【００２８】
【図１】第１の実施の形態に係るプランタ台の構造を示した斜視説明図である。
【図２】第２の実施の形態に係るプランタ台の構造を示した斜視断面図である。
【図３】排水孔が側壁部材近傍に設けられた第３の実施の形態に係るプランタ台の構造を示した断面図（ａ）と、排水孔が第二の底板部材中央に設けられた第３の実施の形態に係るプランタ台の構造を示した断面図（ｂ）である。
【図４】第４の実施の形態に係るプランタ台の構造を示した斜視説明図である。
【図５】従来のプランタ台の一例を示す概略図である。
【図６】従来のプランタ台の一例を示す概略図である。
【発明を実施するための形態】
【００２９】
以下、本発明の実施の形態について図１ないし図６を参照しながら説明し、本発明の理解に供する
【００３０】
〔第１の実施の形態〕
本発明の第１の実施の形態を図１に基づいて説明する。
図１は、第１の実施の形態に係るプランタ台１の構造を示した斜視説明図である。
【００３１】
図１に示すプランタ台１は、内部に植木鉢等を収めるプランタ本体２と、プランタ台１の移動を可能にするキャスタ３を備える。
【００３２】
また、プランタ本体２は、植木鉢等が載置される板状の底板２０と、底板２０の外周に沿って取り付けられた側壁板２１を有する。プランタ本体２は、側壁板２１で囲まれた空間を底板２０が上下に仕切る構造となっている。側壁板２１は、４枚の側板２１０、２１１、２１２、２１３から構成され、載置した植木鉢等が、プランタ本体２から外側に落ちないための滑り止めの役割を果たす。
【００３３】
また、プランタ本体２の底板２０の床面側にはキャスタ３が複数取り付けられている。キャスタ３により、プランタ台１を移動させ、設置する位置を変更することができる。
【００３４】
また、側板２１０の端部には、目隠し板２２が設けられている。また、目隠し板２２が設けられた側のキャスタ３は、移動可能な状態と固定状態を切替できるストッパー（図示せず）がついている。
【００３５】
目隠し板２２は、側壁板２１と接合された部分を軸として略１８０度の範囲で回動可能な構造となっている。また、側板２１０と目隠し板２２には一対の固定具（図示せず）が設けられ、この固定具により、目隠し板２２は、上方に回動させた状態で固定することができる。目隠し板２２を上方に回動させた状態で固定することで、プランタ台１の移動を容易にすることができる。例えば、傾斜面等でプランタ台１を移動させる時には、地面につっかかりにくくすることができる。
【００３６】
また、目隠し板２２を上方に回動させた状態で固定することで、プランタ台１の下部の空間が解放され、ストッパーのついたキャスタ３の固定または解除が容易に行える。
【００３７】
また、目隠し板２２を下方に回動させることで、キャスタ３が外観上見えにくくなり、プランタ台１の意匠性が向上する。
【００３８】
ここで、側壁板２１の大きさや形状は特に限定されるものではない。プランタ台１に載置したい植木鉢や植物等の大きさに応じて、適宜変更することができる。
【００３９】
また、必ずしも、側壁板２１は、４枚の側板２１０、２１１、２１２、２１３から構成される必要はない。例えば、一枚ものの一体的な側壁板を底板２０の外周に取り付ける構成であってもよい。
【００４０】
また、プランタ本体２に取り付けられるキャスタ３の数は特に限定されるものではない。プランタ本体２の大きさに対応させて、必要な数を設けることができる。
【００４１】
また、目隠し板２２は回動可能な構造だけでなく、側壁板２１から滑動可能又は着脱可能な構造とすることもでき、目隠し板２２を閉じた状態から開放した状態にできるものであれば充分である。
【００４２】
また、目隠し板２２は側壁板２１の１つに設けられる構造に限定されるものではない。例えば、各々の側板に目隠し板２２を設ける構造も採用することができる。
【００４３】
また、プランタ本体２の素材が特に限定されるものではなく、木、金属等、適宜選択することができる。また、素材に防水加工を施して用いることもできる。
【００４４】
また、必ずしも、側板２１０と目隠し板２２には一対の固定具が設けられる必要はない。但し、目隠し板２２を上方に回動させた状態で固定可能になり、プランタ台１の移動や、キャスタの操作が容易になる点から、側板２１０と目隠し板２２には一対の固定具が設けられることが好ましい。
【００４５】
また、プランタ台１に設けられる固定具の種類は特に限定されるものではなく、雌雄型のピンを引っ掛ける構造や、掛け金型などの構造を採用しうる。
【００４６】
また、目隠し板の構造として、側壁板２１と接合された部分を軸として回動可能かつ、任意の位置で目隠し板の動きを止めることができる構造も考えられる。例えば、目隠し板の重量を支えることができるヒンジを利用して、任意の位置で動きが止められる構造も採用しうる。
【００４７】
以下、本発明の第１の実施の形態の使用方法について説明する。
【００４８】
プランタ台１の底板２０には、複数の植木鉢を載置することができる。また、植木鉢だけでなく、底板２０の上に園芸用の土を敷き詰めて、直接植物を植えることもできる。
【００４９】
特に、土を敷き詰めて使用する場合には、複数の植物を寄せ植えする際に配置変更等が容易になる。
【００５０】
また、土を敷き詰めた上に、複数の植木鉢を載せて使用することも可能である。仮に、植木鉢の植物に水をやりすぎた場合にも、土が余剰の水分を吸収するため、プランタ台１の周囲を汚しにくいものとなっている。
【００５１】
また、キャスタ３で移動可能なため、例えば、室内で使用する際には、室内の日当たりのよい場所への移動等も容易に行うことができる。
【００５２】
また、目隠し板２２により、キャスタ３を外観上見えにくくすることができ、植物とプランタ台１の一体感が増し、美観を高めることができる。
【００５３】
〔第２の実施の形態〕
次に、本発明の第２の実施の形態を、図２に示す。図２は、第２の実施の形態に係るプランタ台４の構造を示した斜視説明図である。
【００５４】
図２に示すプランタ台４は、内部に植木鉢等を収めるプランタ本体５と、プランタ台４の移動を可能にするキャスタ３を備える。
【００５５】
また、プランタ本体５は、植木鉢等が載置される板状の底板３０と、底板３０の外周に沿って取り付けられた側壁板２１を有する。プランタ本体５は、側壁板２１で囲まれた空間を底板３０が上下に仕切る構造となっている。キャスタ３は、側壁板２１に囲われて、底板３０の下面に４個設けられている。
【００５６】
プランタ本体５の底板３０には通水孔２３が３本設けられている。通水孔２３により、プランタ本体５内部の余剰の水を排水させ、プランタ本体５内部に水が溜まりにくくすることができる。なお、図面は断面図であることにより、通水孔２３は一本のみ表示されているが、全体図で表した場合には３本となる。
【００５７】
ここで、必ずしも、プランタ本体５の底板３０に通水孔２３が設けられる必要はない。但し、底板３０の水が溜まりにくくなり、プランタ本体５内部の通気性が向上することから、プランタ本体５の底板３０に通水孔２３が設けられることが好ましい。
【００５８】
また、底板３０に設けられる通水孔２３の数や形状は特に限定されるものではない。複数の通水孔を設けることもでき、形状としては溝状だけでなく、円形等が採用しうる。
【００５９】
以上のように、本発明の第２の実施の形態では、底板部材に排水を促す通水孔を設けることで、植物が育成しやすいものとなっている。
【００６０】
〔第３の実施の形態〕
続いて、本発明の第３の実施の形態を図３に示す。図３（ａ）は、排水孔２５が側壁板２１の近くに設けられたプランタ台６の構造を示した断面図である。図３（ｂ）は、排水孔２５が第二の底板２４の中央付近に設けられた第３の実施の形態に係るプランタ台６の構造を示した断面図である。
【００６１】
図３（ａ）及び図３（ｂ）に示すプランタ台６は、プランタ本体７とキャスタ３とを備える。プランタ本体７は、長方形に形成された板状の底板４０と、側壁板２１とを有する。底板４０には、通水孔４３が４本設けられている。また、側壁板２１は、底板４０の周縁を囲むように設けられている。
【００６２】
まず、図３（ａ）について説明する。
図３（ａ）に示すプランタ台６は、底板４０の下側に位置する第二の底板２４を有する。第二の底板２４は側壁板２１で囲まれた空間に位置し、側壁板２１と内接している。第二の底板２４の上面は、排水孔２５に向けて傾斜するように斜面２４０が形成されている。また、第二の底板２４を貫通して、側壁板２１寄りに排水孔２５が設けられている。
【００６３】
ここで、必ずしも、プランタ本体７が、底板４０の下側に設けられた第二の底板２４を有する必要はない。但し、排水が容易になる点から、プランタ本体７が、底板４０の下側に設けられた第二の底板２４を有することが好ましい。
【００６４】
図３（ａ）に示す第３の実施の形態では、第二の底板２４に設けられた排水孔２５により、底板４０から直接地面に水が落ちることによる泥などの跳ね返りを減らすことができる。また、これにより、プランタ台６の内側が汚れにくくなる。
【００６５】
底板４０の通水孔４３から落下する水を第二の底板２４で受け止めて排水孔２５へ導き、プランタ台６の下部へ排水することができる。
【００６６】
また、第二の底板２４の上面に設けられた、排水孔２５に向けて傾斜して設けられた傾斜面２４０により、底板４０の通水孔４３を通ってきた水を排水孔２５に効率よく導きやすくなる。
【００６７】
次に、図３（ｂ）について説明する。
図３（ｂ）に示すプランタ台６は、底板４０の下側に位置する第二の底板２４１を有する。第二の底板２４１は側壁板２１に囲まれた空間に位置し、側壁部材２１と内設している。第二の底板２４１には、略中央の位置に排水孔２５が設けられている。また、この場合、傾斜面２４２は、排水孔２５に向かって窪んだ形状となっている。
【００６８】
底板４０の通水孔４３から落下する水を第二の底板２４１で受け止めて、排水孔２５へ導き、プランタ台６の下部へ排水することができる。
【００６９】
また、第二の底板２４１の上面に設けられた、排水孔２５に向けて傾斜して設けられた傾斜面２４２により、底板４０の通水孔４３を通ってきた水を排水孔２５に効率よく導くことができる。
【００７０】
なお、第二の底板の形状は、図３（ａ）及び図３（ｂ）で示す形状に限られない。また、第二の底板に設けられる排水孔２５の位置は、図３（ａ）及び図３（ｂ）で示す位置に限られない。また、排水孔の数も限定されるものではなく、複数設けることも可能である。
【００７１】
〔第４の実施の形態〕
また、本発明の第４の実施の形態を図４に示す。図４は第４の実施の形態に係るプランタ台８の構造を示した斜視説明図である。
【００７２】
図４に示すプランタ台８は、内部に植木鉢等を収めるプランタ本体９と、プランタ台８の移動を可能にするキャスタ（図示せず）を備える。
【００７３】
また、プランタ本体９は、植木鉢等が載置される板状の底板３０と、底板３０の外周に沿って取り付けられた側壁板２１を有する。プランタ本体９は、側壁板２１で囲まれた空間を底板３０が上下に仕切る構造となっている。
【００７４】
また、側壁板２１の上部側に羽目板２６が設けられており、羽目板２６は側壁板２１から着脱可能に構成されている。
【００７５】
ここで、必ずしも、側壁板２１の上部側に羽目板２６が設けられており、羽目板２６は側壁板２１から着脱可能に構成される必要はない。但し、植木鉢や土の入れ替えなどを行う際、底板２０に載置された植木鉢に容易に手が届き、入れ替え時の作業の負担が軽減される点から、側壁板２１の上部側に羽目板２６が設けられており、羽目板２６は側壁板２１から着脱可能に構成されることが好ましい。
【００７６】
また、羽目板２６が設けられる領域も特に限定されるものではない。例えば、側壁板２１の底板２０に対応する位置から上端にかけて着脱可能な構成にすることもできる。この場合は、底板２０の中のゴミ等を掃出しやすくすることができる。
【００７７】
また、羽目板２６は側壁板２１から着脱可能な構成だけでなく、側壁板２１と接合した部分を軸に回動可能な構成とすることや、滑動可能な構成にすることもできる。
【００７８】
図４に示す第４の実施の形態では、底板３０の上に載置した植木鉢や土等の手入れが行いやすい構造となっている。
【００７９】
このように、本発明を適用したプランタ台は、室内外のいずれでも使い勝手がよく、意匠性にも優れたものとなっている。
【符号の説明】
【００８０】
１  プランタ台
２  プランタ本体
３  キャスタ
４  プランタ台
５  プランタ本体
６  プランタ台
７  プランタ本体
８  プランタ台
９  プランタ本体
２０  底板
２１  側壁板
２２  目隠し板
２３  通水孔
２４  第二の底板
２５  排水孔
２６  羽目板
３０  底板
４０  底板
４３  通水孔
２４０  傾斜面
２４１  第二の底板
２４２  傾斜面
【図１】
2015070814.tif 000003
【図２】
2015070814.tif 000004
【図３】
2015070814.tif 000005
【図４】
2015070814.tif 000006
【図５】
2015070814.tif 000007
【図６】
2015070814.tif 000008